(57)【特許請求の範囲】
【請求項１】
有底筒状のプリフォームから内容液を収容した液体入り容器を成形する液体ブロー成形方法であって、
第１加圧源に第１液を充填するとともに第２加圧源に第２液を充填する充填工程と、
前記第１加圧源と前記第２加圧源とを同時に作動させ、前記第１加圧源により所定圧力にまで加圧された前記第１液と前記第２加圧源により所定圧力にまで加圧された前記第２液とを前記プリフォームに同時に供給して該プリフォームを液体ブロー成形する成形工程と、を有し、
前記第１液と前記第２液が、互いに均質な混合状態に維持することが困難なものであることを特徴とする液体ブロー成形方法。
【請求項２】
前記成形工程の後に、成形後の容器の内部から所定量の液体を吸い出すサックバック工程を有する、請求項１に記載の液体ブロー成形方法。
【請求項３】
前記サックバック工程において前記容器から吸い出した液体を、次のプリフォームに対する成形工程の前に該プリフォームの内部に所定圧力で供給する前供給工程を有する、請求項２に記載の液体ブロー成形方法。
【請求項４】
前記成形工程において、前記第１加圧源と前記第２加圧源とを同一の駆動源により駆動して同時に作動させる、請求項１〜３の何れか１項に記載の液体ブロー成形方法。
【発明の詳細な説明】
【技術分野】
【０００１】
本発明は、有底筒状のプリフォームから内容液を収容した液体入り容器を成形する液体ブロー成形方法に関し、特に、内容液として第１液と第２液とを混合した混合液を収容する液体入り容器を成形する液体ブロー成形方法に関する。
【背景技術】
【０００２】
ポリプロピレン（ＰＰ）製のボトルやポリエチレンテレフタレート（ＰＥＴ）製のボトルに代表されるような樹脂製の容器は、飲料、化粧品、薬品、洗剤、シャンプー等のトイレタリーなどの様々な液体を内容液として収容する用途に使用されている。このような容器は、上記したような熱可塑性を有する樹脂材料によって有底筒状に形成されたプリフォームをブロー成形することにより製造されるのが一般的である。
【０００３】
プリフォームを容器に成形するブロー成形としては、プリフォームの内部に供給する加圧媒体として加圧した液体を用いるようにした液体ブロー成形が知られている。
【０００４】
例えば特許文献１には、予め延伸性を発現する温度にまで加熱しておいたプリフォームをブロー成形用の金型にセットし、このプリフォームの内部にノズルを通して所定の圧力にまで加圧された液体を供給することにより、プリフォームを金型のキャビティに沿った所定形状の容器に成形するようにした液体ブロー成形方法が記載されている。このような液体ブロー成形方法によれば、プリフォームに供給する液体として飲料等の最終的に製品として容器に収容される内容液を使用することにより、容器の成形と当該容器への内容液の充填とを同時に行って、内容液を収容した液体入り容器を容易に成形することができるので、成形後の容器への内容液の充填工程を省略して、その生産工程や生産ライン（装置）の構成を簡略化することができる。
【先行技術文献】
【特許文献】
【０００５】
【特許文献１】特開２０１３−２０８８３４号公報
【発明の概要】
【発明が解決しようとする課題】
【０００６】
しかしながら、上記従来の液体ブロー成形方法では、例えば、油分を主成分とした液体と水分を主成分とした液体とを混合した調味用ドレッシングなどの均質な混合状態に維持することが困難な液体を収容する容器に対しては、当該液体を均質な混合状態に維持したままノズルを通してプリフォーム内に供給することが難しいことから、その適用が困難であるという問題点があった。
【０００７】
本発明は、このような課題に鑑みてなされたものであり、その目的は、均質な混合状態に維持することが困難な２種類の液体を含む内容液を収容する液体入り容器の成形に適用可能な液体ブロー成形方法を提供することにある。
【課題を解決するための手段】
【０００８】
本発明の液体ブロー成形方法は、有底筒状のプリフォームから内容液を収容した液体入り容器を成形する液体ブロー成形方法であって、第１加圧源に第１液を充填するとともに第２加圧源に第２液を充填する充填工程と、前記第１加圧源と前記第２加圧源とを同時に作動させ、前記第１加圧源により所定圧力にまで加圧された前記第１液と前記第２加圧源により所定圧力にまで加圧された前記第２液とを前記プリフォームに同時に供給して該プリフォームを液体ブロー成形する成形工程と、を有し、前記第１液と前記第２液が、互いに均質な混合状態に維持することが困難なものであることを特徴とする。
【０００９】
本発明の液体ブロー成形方法は、上記構成において、前記成形工程の後に、成形後の容器の内部から所定量の液体を吸い出すサックバック工程を有するのが好ましい。
【００１０】
本発明の液体ブロー成形方法は、上記構成において、前記サックバック工程において前記容器から吸い出した液体を、次のプリフォームに対する成形工程の前に該プリフォームの内部に所定圧力で供給する前供給工程を有するのが好ましい。
【００１１】
本発明の液体ブロー成形方法は、上記構成において、前記成形工程において、前記第１加圧源と前記第２加圧源とを同一の駆動源により駆動して同時に作動させるのが好ましい。
【発明の効果】
【００１２】
本発明によれば、均質な混合状態に維持することが困難な２種類の液体を含む内容液を収容する液体入り容器の成形に適用可能な液体ブロー成形方法を提供することができる。
【図面の簡単な説明】
【００１３】
【図１】本発明の一実施の形態である液体ブロー成形方法に用いられる液体ブロー成形装置の一例を示す説明図である。
【図２】充填工程を行っている状態の液体ブロー成形装置を示す説明図である。
【図３】前供給工程を行っている状態の液体ブロー成形装置を示す説明図である。
【図４】成形工程を行っている状態の液体ブロー成形装置を示す説明図である。
【図５】成形工程が完了した状態の液体ブロー成形装置を示す説明図である。
【図６】サックバック工程を行っている状態の液体ブロー成形装置を示す説明図である。
【図７】液体ブロー成形を完了した状態の液体ブロー成形装置を示す説明図である。
【発明を実施するための形態】
【００１４】
以下、図面を参照して本発明をより具体的に例示説明する。
【００１５】
本発明の液体ブロー成形方法は、有底筒状のプリフォームから内容液を収容した液体入り容器を成形する液体ブロー成形方法であって、第１加圧源に第１液を充填するとともに第２加圧源に第２液を充填する充填工程と、第１加圧源と第２加圧源とを同時に作動させ、第１加圧源により所定圧力にまで加圧された第１液と第２加圧源により所定圧力にまで加圧された第２液とをプリフォームに同時に供給して該プリフォームを液体ブロー成形する成形工程と、を有することを特徴とするものである。すなわち、本発明の液体ブロー成形方法は、成形後の液体入り容器に収容される内容液が第１液と第２液とを混合した混合液である場合において、第１液と第２液とを別々の加圧源から同時にプリフォームに供給して液体ブロー成形を行うようにしたものである。このような本発明の液体ブロー成形方法は、第１液と第２液とを混合した内容液を収容した液体入り容器の製造方法とも言えるものであり、例えば図１に示す構成の液体ブロー成形装置１を用いて実施することができる。
【００１６】
図１に示す液体ブロー成形装置１は、プリフォーム２を液体ブロー成形することにより、内部に内容液を収容した液体入り容器に成形するものである。なお、液体ブロー成形とは、プリフォーム２に供給する加圧媒体（加圧流体）として、エアブロー成形の際に用いられる加圧エアーに替えて、加圧した液体を用いて行うブロー成形のことである。
【００１７】
プリフォーム２に供給される液体Ｌ、つまり成形後の液体入り容器に収容される内容液Ｌとしては、例えば、油分を主成分とした第１液Ｌ１と、水分を主成分として第１液Ｌ１に対して容易に分離する性質を有する第２液Ｌ２とを混合した調味用ドレッシングなど、第１液Ｌ１と第２液Ｌ２とを混合した混合液が用いられる。このような液体Ｌは均質な混合状態に維持することが困難なものであるが、本発明の液体ブロー成形方法によれば、当該液体Ｌを用いてプリフォーム２を液体入り容器に容易に成形することができる。
【００１８】
なお、液体（内容液）Ｌとしては、調味用ドレッシングに限らず、均質な混合状態に維持することが困難なものであれば、例えば化粧品や飲料等の種々の液体を用いることができる。
【００１９】
プリフォーム２としては、例えばポリプロピレン（ＰＰ）やポリエチレンテレフタレート（ＰＥＴ）等の熱可塑性を有する樹脂材料によって、開口端となる円筒状の口部２ａと、口部２ａに連なるとともに下端が閉塞された円筒状の胴部２ｂとを有する有底筒状に形成されたものが用いられる。なお、図中においては、便宜上、胴部２ｂをその肉厚を省略して記載している。
【００２０】
プリフォーム２としては、上記形状のものに限らず、有底筒状であれば、成形後の容器の形状等に応じて種々の形状のものを用いることができる。
【００２１】
詳細は図示しないが、口部２ａの外壁面には、成形後の液体入り容器の口部２ａに閉塞キャップ（不図示）を打栓（アンダーカット係合）によって装着するための係合突起が設けられている。なお、口部２ａの外壁面に係合突起に替えて雄ネジを設けて閉塞キャップを口部２ａにねじ結合により装着する構成とすることもできる。
【００２２】
液体ブロー成形装置１は、ブロー成形用の金型１０を有している。この金型１０は、例えばボトル形状などの容器の最終形状に対応した形状のキャビティ１１を有している。キャビティ１１は金型１０の上面において上方に向けて開口している。プリフォーム２は、胴部２ｂが金型１０のキャビティ１１の内部に配置されるとともに口部２ａが金型１０から上方に突出した状態となって金型１０に装着される。
【００２３】
詳細は図示しないが、金型１０は左右に型開きすることができるようになっており、プリフォーム２を液体入り容器に成形した後に金型１０を左右に開くことで、当該液体入り容器を金型１０から取り出すことができる。
【００２４】
金型１０の上方には、プリフォーム２の内部に液体Ｌを供給するためのノズルユニット２０が設けられている。ノズルユニット２０は本体ブロック２１を有し、この本体ブロック２１は金型１０に対して上下方向に相対移動自在となっている。本体ブロック２１の下端には支持ブロック２１ａが設けられ、この支持ブロック２１ａにより支持されて本体ブロック２１の下端にはブローノズル２２が装着されている。ブローノズル２２は略円筒状に形成されており、本体ブロック２１が下方側のストローク端にまで下降したときに金型１０に装着されたプリフォーム２の口部２ａに上方側から係合する。また、ブローノズル２２の上面には、下方に向かうに連れて縮径状に傾斜する円錐面状のシール面２２ａが設けられている。
【００２５】
本体ブロック２１の内部には上下方向に延びる供給路２３が設けられている。この供給路２３はブローノズル２２に第１液Ｌ１や第２液Ｌ２を供給するための流路であり、その下端においてブローノズル２２に連通している。また、本体ブロック２１には、供給路２３の上端に連通する供給ポート２４及び供給路２３の中間部分に連通するサックバック用ポート２５が設けられている。
【００２６】
供給路２３の内部にはブローノズル２２を開閉するためのシール体２６が配置されている。シール体２６はノズルユニット２０に上下方向に移動自在に設けられた軸体２７の下端に固定され、供給路２３の内部で上下方向に移動自在となっている。シール体２６は円柱状に形成され、その下端面の外周縁部はテーパー状の当接面２６ａとなっている。当接面２６ａは、ブローノズル２２のシール面２２ａと同一の傾斜角度を有しており、シール体２６が下方側のストローク端位置である閉位置にまで移動するとシール面２２ａに密着するようになっている。したがって、シール体２６が閉位置となると、当該シール体２６によってブローノズル２２が閉塞され、ブローノズル２２と供給路２３との間の連通が遮断される。一方、シール体２６が閉位置から上方に向けて移動すると、ブローノズル２２は開かれて供給路２３と連通される。
【００２７】
図示するように、液体ブロー成形装置１は延伸ロッド２８を備えた構成とすることもできる。この場合、プリフォーム２を延伸ロッド２８により軸方向に延伸させつつ口部２ａから供給される加圧した液体Ｌにより径方向に延伸させる二軸延伸ブロー成形を行うことができる。なお、液体ブロー成形装置１は、延伸ロッド２８を備えない構成とすることもできる。
【００２８】
供給ポート２４には第１配管Ｐ１により第１液体供給部３０が接続されている。第１液体供給部３０は、第１タンク３１と第１タンク３１の下流側に接続された第１加圧源３２とを有している。第１タンク３１は、第１液Ｌ１を収容するとともに第１液Ｌ１を所定温度にまで加熱して当該温度に保持することができる構成としてもよい。第１加圧源３２は、第１タンク３１に収容されている第１液Ｌ１を吸引することができるとともに吸引した第１液Ｌ１を所定圧力にまで加圧し、供給ポート２４を介して供給路２３に供給することができる。
【００２９】
第１配管Ｐ１には、第１液体供給部３０と供給ポート２４との間の分岐部において第２配管Ｐ２が分岐状に接続され、この第２配管Ｐ２には第２液体供給部３３が接続されている。第２液体供給部３３は、第２タンク３４と第２タンク３４の下流側に接続された第２加圧源３５とを有している。第２タンク３４は第２液Ｌ２を収容している。第２加圧源３５は、第２タンク３４に収容されている第２液Ｌ２を吸引することができるとともに吸引した第２液Ｌ２を所定圧力にまで加圧し、第２配管Ｐ２、第１配管Ｐ１及び供給ポート２４を介して供給路２３に供給することができる。
【００３０】
図示する場合では、第１加圧源３２及び第２加圧源３５は、それぞれプランジャーポンプにより構成され、同一の駆動源Ｄにより駆動されて同時に作動するように構成されている。
【００３１】
なお、第１加圧源３２及び第２加圧源３５は、それぞれプランジャーポンプに限らず、第１タンク３１に収容されている第１液Ｌ１または第２タンク３４に収容されている第２液Ｌ２を所定圧力にまで加圧して供給路２３に供給することができるものであれば他の構成の加圧源により構成することもできる。また、第１加圧源３２及び第２加圧源３５としては、それぞれ内容液Ｌに占める第１液Ｌ１と第２液Ｌ２との割合に応じて、当該割合に適したサイズのものが用いられる。例えば、図示する場合では、第１加圧源３２として第２加圧源３５よりも大きいサイズのプランジャーが用いられている。
【００３２】
サックバック用ポート２５にはサックバック用配管Ｐ３によりサックバック用プランジャー３６が接続されている。サックバック用プランジャー３６は、ブローノズル２２、供給路２３、サックバック用ポート２５及びサックバック用配管Ｐ３を介して成形後の容器の内部から所定量の液体Ｌを吸い出すことができるとともに、上記と反対の作動及び経路で当該吸い出した液体Ｌをプリフォーム２に向けて供給することができる。
【００３３】
第１タンク３１と第１加圧源３２との間には第１開閉弁３７が設けられ、第１加圧源３２と分岐部との間には第２開閉弁３８が設けられている。また、第２タンク３４と第２加圧源３５との間には第３開閉弁３９が設けられ、第２加圧源３５と分岐部との間には第４開閉弁４０が設けられている。さらに、第１配管Ｐ１の供給ポート２４の近傍には合流開閉弁４１が設けられ、サックバック用ポート２５とサックバック用プランジャー３６との間にはサックバック用開閉弁４２が設けられている。これらの開閉弁３７〜４２は、それぞれ電磁弁により構成され、開閉動作することにより対応する配管Ｐ１、Ｐ２、Ｐ３を遮断状態と開通状態とに切り替えることができる。また、これらの開閉弁３７〜４２は、それぞれ図示しない制御手段等によって所定のタイミングで開閉制御される。
【００３４】
さらに、第１配管Ｐ１には圧力計４３が設けられ、この圧力計４３の計測データは図示しない制御手段に入力される。
【００３５】
図示しない制御手段は、第１液体供給部３０、第２液体供給部３３、サックバック用プランジャー３６等にも接続されており、当該制御手段により液体ブロー成形装置１の作動が統合的に制御される。
【００３６】
次に、このような構成の液体ブロー成形装置１を用いてプリフォーム２から所定形状の容器の内部に内容液が収容されてなる液体入り容器を成形する方法（本発明の液体ブロー成形方法）について説明する。
【００３７】
まず、予めヒーター等の加熱手段（不図示）を用いて延伸性を発現する程度の所定の温度（例えば８０℃〜１５０℃）にまで加熱しておいたプリフォーム２をブロー成形用の金型１０に装着し、型締めする。そして、ノズルユニット２０を下降させ、ブローノズル２２をプリフォーム２の口部２ａに係合させる。
【００３８】
次に、充填工程が行われる。充填工程においては、図２に示すように、シール体２６を閉じた状態のまま、第１開閉弁３７を開き、第２開閉弁３８を閉じた状態として第１加圧源３２を引き動作させることにより、第１タンク３１に収容されている第１液Ｌ１を第１加圧源３２に吸引させて当該第１加圧源３２に第１液Ｌ１を充填させる。また、第３開閉弁３９を開き、第４開閉弁４０を閉じた状態として第２加圧源３５を引き動作させることにより、第２タンク３４に収容されている第２液Ｌ２を第２加圧源３５に吸引させて当該第２加圧源３５に第２液を充填させる。このとき、合流開閉弁４１、サックバック用開閉弁４２及びシール体２６は閉じた状態とされる。そして、この状態で液体ブロー成形が行われるまで液体ブロー成形装置１は待機状態とされる。
【００３９】
本発明の液体ブロー成形方法は、上記待機状態の後、後述する成形工程を行う前に、前供給工程を行う構成とすることができる。前供給工程においては、図３に示すように、第１開閉弁３７、第２開閉弁３８、第３開閉弁３９、第４開閉弁４０及び合流開閉弁４１を閉じ、シール体２６とサックバック用開閉弁４２とを開いた状態でサックバック用プランジャー３６を作動させることにより、当該サックバック用プランジャー３６に充填されている液体Ｌがサックバック用配管Ｐ３、サックバック用ポート２５、供給路２３及びブローノズル２２を介してプリフォーム２に所定圧力で供給される。サックバック用プランジャー３６からプリフォーム２に所定圧力で液体Ｌが供給されることにより、当該プリフォーム２は液体Ｌによって途中形状にまで液体ブロー成形される。なお、本実施の形態においては、前供給工程において、第１開閉弁３７、第２開閉弁３８、第３開閉弁３９、第４開閉弁４０及び合流開閉弁４１を閉じるようにしているが、少なくとも合流開閉弁４１を閉じていればよい。
【００４０】
サックバック用プランジャー３６に充填されている液体Ｌつまり前供給工程においてサックバック用プランジャー３６からプリフォーム２に供給される液体Ｌは、後述するサックバック工程において成形後の容器の内部から吸い出した液体Ｌである。このように、第１加圧源３２や第２加圧源３５とは別系統のサックバック用プランジャー３６を用いて成形後の容器の内部から吸い出した液体Ｌを、前供給工程においてプリフォーム２の内部に供給する構成とすることにより、成形工程の後にサックバック工程を行う構成とした場合に、第１液Ｌ１と第２液Ｌ２とが混合された液体Ｌがサックバック工程によって第１加圧源３２や第２加圧源３５に混入することを防止して、成形後の容器に収容される内容液Ｌの第１液と第２液との混合割合を正確に規定の割合にすることができる。
【００４１】
前供給工程においては、サックバック用プランジャー３６の内部に充填されている全ての液体Ｌがプリフォーム２に向けて押し出される。これにより、サックバック用プランジャー３６の内部に充填された液体Ｌが、前供給工程においてプリフォーム２に供給されるまでの待機中に第１液Ｌ１と第２液Ｌ２とに分離した状態となっても、サックバック用プランジャー３６の内部に充填されている全ての液体Ｌをプリフォーム２に向けて押し出すことで当該プリフォーム２に規定の割合で第１液Ｌ１と第２液Ｌ２を供給することができる。
【００４２】
前供給工程が完了すると、前供給工程に続けて成形工程が行われる。成形工程においては、図４に示すように、シール体２６を開いた状態のまま、第１開閉弁３７、第３開閉弁３９、サックバック用開閉弁４２を閉じ、第２開閉弁３８、第４開閉弁４０及び合流開閉弁４１を開き、この状態で第１加圧源３２と第２加圧源３５とを駆動源Ｄによって同時に作動させる。これにより、第１加圧源３２により所定圧力にまで加圧された第１液Ｌ１と第２加圧源３５により所定圧力にまで加圧された第２液Ｌ２とを所定の割合で合流、混合した液体Ｌを、供給ポート２４、供給路２３及びブローノズル２２を通してプリフォーム２の内部に供給して当該プリフォーム２を液体Ｌで液体ブロー成形することができる。この成形工程においては、プリフォーム２はキャビティ１１に沿った所定形状の容器５０にまで液体ブロー成形される。なお、圧力計４３で計測される液体Ｌの圧力は、液体ブロー成形されている当該プリフォーム２の内部の圧力よりも高い圧力である。
【００４３】
なお、延伸ロッド２８を設けた構成の場合には、前供給工程及び成形工程において延伸ロッド２８を下方に移動させて当該延伸ロッド２８によりプリフォーム２を縦方向へ延伸させる。
【００４４】
液体ブロー成形によりプリフォーム２が容器５０に成形されると、図５に示すように、シール体２６、第１開閉弁３７、第３開閉弁３９を開いたまま、第２開閉弁３８、第４開閉弁４０及び合流開閉弁４１を閉じ、この状態で第１加圧源３２及び第２加圧源３５を引き動作させる。これにより、次のプリフォーム２の成形工程に備えた充填工程が行われ、第１加圧源３２に第１液Ｌ１が充填され、第２加圧源３５に第２液Ｌ２が充填される。なお、充填工程は、図２に示すように、新たなプリフォーム２がセットされた後、前供給工程が行われる前に行う構成とするなど、成形工程の前であれば種々のタイミングで行う構成とすることができる。
こともできる。
【００４５】
本発明の液体ブロー成形方法は、成形工程が完了した後、サックバック工程を行う構成とすることができる。図６に示すように、サックバック工程では、第１開閉弁３７、第２開閉弁３８、第３開閉弁３９、第４開閉弁４０及び合流開閉弁４１を閉じ、シール体２６とサックバック用開閉弁４２とを開いた状態でサックバック用プランジャー３６を前供給工程とは逆方向に引き動作させる。これにより、成形工程で所定形状に形成された容器５０の内部から所定量の液体Ｌを吸い出すことができる（サックバック）。なお、本実施の形態においては、サックバック工程において、第１開閉弁３７、第２開閉弁３８、第３開閉弁３９、第４開閉弁４０及び合流開閉弁４１を閉じるようにしているが、少なくとも合流開閉弁４１を閉じていればよい。
【００４６】
サックバック工程において容器５０から吸い出した液体Ｌは、ブローノズル２２、供給路２３、サックバック用ポート２５及びサックバック用配管Ｐ３を介してサックバック用プランジャー３６に充填される。このようにサックバック用プランジャー３６に充填された液体Ｌは、前述のように、次に容器に成形されるプリフォーム２に対する前供給工程において当該プリフォーム２に充填される。
【００４７】
所定量の液体Ｌの吸い出しが完了すると、容器５０は、所定量の液体Ｌが吸い出されることによりその内容量が減少し、キャビティ１１との間に隙間を生じた縮小変形状態となり、その内部は大気圧よりも低い負圧状態となる。
【００４８】
サックバック工程が完了すると、図７に示すように、シール体２６が閉じられるとともに延伸ロッド２８が液体Ｌから引き抜かれて液体ブロー成形が完了する。これにより、容器５０に所定量の内容液Ｌを収容した液体入り容器６０が完成することなる。
【００４９】
シール体２６を閉じた後、液体入り容器６０の口部６０ａを大気に開放することによって、液体入り容器６０に収容される内容液Ｌの液面の位置つまり液体入り容器６０に収容される内容液Ｌの量を適切な量に設定して、液体入り容器６０の内部に所定のヘッドスペースＨを生じさせることができる。
【００５０】
詳細は図示しないが、液体入り容器６０が完成すると、液体入り容器６０の口部６０ａにキャップが装着され、次いで金型１０が開かれて完成した液体入り容器６０が金型１０から取り出される。なお、液体入り容器６０を金型から取り出した後にキャップを装着してもよい。
【００５１】
このように、本発明の液体ブロー成形方法では、第１液Ｌ１と第２液Ｌ２とを別々の加圧源３２、３５から同時にプリフォーム２の内部に供給して液体ブロー成形を行うようにしている。これにより、内容液Ｌとして、油分を主成分とした第１液Ｌ１と水分を主成分として第１液Ｌ１に対して容易に分離する性質を有する第２液Ｌ２とを混合した調味用ドレッシングなど、第１液Ｌ１と第２液Ｌ２とを混合状態に維持しておくことが困難な液体Ｌを用いるようにしても、第１液Ｌ１と第２液Ｌ２とを別々の系統で規定の割合で所定量ずつプリフォーム２に供給することができる。したがって、第１液Ｌ１と第２液Ｌ２とが規定の割合で混合された内容液Ｌを収容する液体入り容器６０を、液体ブロー成形によって容易に製造することが可能となる。
【００５２】
また、本実施の形態のように、成形工程の後にサックバック工程を行うことにより、延伸ロッドを使用しない成形方法の場合であっても、液体入り容器６０の内部に所定のヘッドスペースＨを容易に生じさせることができる。なお、延伸ロッドを使用する成形方法の場合は、当該サックバック工程を用いず、液体Ｌが満量充填されている成形後の液体入り容器６０の内部から延伸ロッドを引き抜くことにより、液体入り容器６０の内部に引き抜かれた延伸ロッドの体積分のヘッドスペースを生じさせるようにしてもよい。
【００５３】
本発明は前記実施の形態に限定されるものではなく、その要旨を逸脱しない範囲で種々変更可能であることはいうまでもない。
【００５４】
例えば、前記実施の形態では、図１に示す構成の液体ブロー成形装置１を用いて本発明の液体ブロー成形方法を行う場合を示したが、他の構成の液体ブロー成形装置等を用いて本発明の液体ブロー成形方法を行うこともできる。
【００５５】
また、前記実施の形態では、充填工程及び成形工程に加えて前供給工程やサックバック工程を行うようにしているが、これらの工程を行わない構成とすることもできる。
【００５６】
さらに、前記実施の形態では、第１配管Ｐ１に、第１液体供給部３０と供給ポート２４との間において第２配管Ｐ２を分岐状に接続した構成とすることにより、液体ブロー成形の際に、第１配管Ｐ１において第１液Ｌ１と第２液Ｌ２とを合流（混合）させるようにしているが、これに限らず、第２配管Ｐ２を第１配管Ｐ１とは別のポートにおいてノズルユニット２０の供給路２３に接続する構成として、液体ブロー成形の際に、供給路２３において第１液Ｌ１と第２液Ｌ２とを合流（混合）させる構成とすることもできる。
【符号の説明】
【００５７】
１    液体ブロー成形装置
２    プリフォーム
２ａ  口部
２ｂ  胴部
１０    金型
１１    キャビティ
２０    ノズルユニット
２１    本体ブロック
２１ａ  支持ブロック
２２    ブローノズル
２２ａ  シール面
２３    供給路
２４    供給ポート
２５    サックバック用ポート
２６    シール体
２６ａ  当接面
２７    軸体
２８    延伸ロッド
３０    第１液体供給部
３１    第１タンク
３２    第１加圧源
３３    第２液体供給部
３４    第２タンク
３５    第２加圧源
３６    サックバック用プランジャー
３７    第１開閉弁
３８    第２開閉弁
３９    第３開閉弁
４０    第４開閉弁
４１    合流開閉弁
４２    サックバック用開閉弁
４３    圧力計
５０    容器
６０    液体入り容器
Ｌ    液体（内容液）
Ｌ１    第１液
Ｌ２    第２液
Ｐ１    第１配管
Ｐ２    第２配管
Ｐ３    サックバック用配管
Ｄ    駆動源
【図１】
0006632872.tif 000002
【図２】
0006632872.tif 000003
【図３】
0006632872.tif 000004
【図４】
0006632872.tif 000005
【図５】
0006632872.tif 000006
【図６】
0006632872.tif 000007
【図７】
0006632872.tif 000008